(57)【特許請求の範囲】
【請求項１】
混在する複数種の軟質プラスチックを選別するための、軟質プラスチックの選別装置であって、
複数の軟質プラスチックを混載して搬送する搬送手段（１３）と、その搬送手段（１３）により搬送された軟質プラスチックを受ける回転ドラム（５）と、その回転ドラム（５）を一方向に回転駆動する駆動手段（９）と、前記回転ドラム（５）の外周面に軟質プラスチックを吸着保持する吸着保持手段（３３）と、吸着保持された軟質プラスチックの材質を選別する材質選別センサ（ＳＥ）と、吸着保持された軟質プラスチックを回転ドラム（５）から強制分離させる分離手段（４６，４８ａ〜４８ｄ，４９ａ〜４９ｄ）と、分離された軟質プラスチックを回収する回収手段（５１〜５４）とを備え、
前記回転ドラム（５）は、その外周壁に複数の吸着口（２６）が周方向に間隔をあけて列設される吸着列（Ｌ）が設けられると共にその内部を高負圧室（ＶＨ）と低負圧室（ＶＬ）とに径方向に仕切る仕切板（１６，１７）が設けられ、前記吸着保持手段（３３）は、高負圧室（ＶＨ）を高負圧に、低負圧室（ＶＬ）を低負圧になるように吸引するブロワ（３３）よりなり、前記分離手段（４６，４８ａ〜４８ｄ，４９ａ〜４９ｄ）は、前記低負圧室（ＶＬ）内に配設していて前記吸着列（Ｌ）の複数の吸着口（２６）に対向する複数の高圧エアノズル（４９ａ〜４９ｄ）と、これらの高圧エアノズル（４９ａ〜４９ｄ）に高圧エアを供給する高圧エア源（４６）と、前記材質選別センサ（ＳＥ）からの選別信号により開弁制御されて複数の高圧エアノズル（４９ａ〜４９ｄ）に選択的に高圧エアを分配供給制御する開閉弁（４８ａ〜４８ｄ）を備え、前記吸引回収手段は、前記吸着口（２６）を介して前記複数の高圧エアノズル（４９ａ〜４９ｄ）に対向する開口を有する複数のダクト（５１〜５４）を備えていることを特徴とする、軟質プラスチックの選別装置。
【請求項２】
前記回転ドラム（５）の、吸着列（Ｌ）の複数の吸着口（２６）には、網板（２７）が被着されていることを特徴とする、前記請求項１記載の軟質プラスチックの選別装置。
【請求項３】
前記回転ドラム（５）の、吸着列（Ｌ）の相隣り合う吸着口（２６）の間には、仕切部材（２８）が設けられることを特徴とする、前記請求項１記載の軟質プラスチックの選別装置。
【請求項４】
前記ブロワ（３３）と、高負圧室（ＶＨ）および低負圧（ＶＬ）との間を連通するエア通路の途中にはダンパ（ＤＡ）が介在され、このダンパ（ＤＡ）の制御により、ブロワ（３３）にて高負圧室（ＶＨ）および低負圧室（ＶＬ）から吸引される負圧エアの風量を調整できるようにしたことを特徴とする、前記請求項１記載の軟質プラスチックの選別装置。
【発明の詳細な説明】
【０００１】
【発明の属する技術分野】
本発明は、混在された材質の異なる、フィルム状などの複数の軟質プラスチックをその材質毎に選別して回収し、リサイクルに供するようにした、軟質プラスチックの選別装置に関するものである。
【０００２】
【従来の技術】
廃棄物から分別された廃プラスチック中には、ＰＰ（ポリプロピレン）、ＰＶＣ（塩化ビニール）、ＰＥ（ポリエチレン）、ＰＳ（ポリスチレン）などの材質の違うものが混在しており、これらの軟質プラスチック中には、リサイクル可能なもの、焼却処理可能なもの、廃棄処理（焼却すると有害成分を排出するため）するものなどが含まれており、各材質別にその後の処置が異なるため、それらを、選別処理する必要がある。
【０００３】
そこで、従来から、かかる廃棄プラスチックの選別手段が種々提案されている（たとえば、特開２０００−１０８１２６号公報参照）。
【０００４】
【発明が解決しようとする課題】
ところで、前記公報に開示の廃棄プラスチックの選別装置では、搬送元に供給される廃プラスチックを、通気性を有する搬送体を介して搬送先に搬送し、その廃プラスチックを、搬送体の裏側から吸引して搬送体上に吸着し、また、廃プラスチックの搬送中にその材質を識別し、その識別結果に基づいて、特定の材質の廃プラスチックの吸着を解除することにより、搬送先に搬送された廃プラスチックを材質毎に仕分けするようにしている。
【０００５】
ところが、前記従来のものでは、搬送体に吸着された廃プラスチックは、その吸着を解除してから、廃プラスチックの自重により、あるいはスクレーパを用いて搬送体から分離して回収するようにしているので、廃プラスチックを搬送体から的確に分離回収するのが難しく、特に、廃プラスチックが、プラスチックフィルムのように、きわめて軽く、薄いものの場合には、その傾向が一層大きくなるという問題があり、また、スクレーパで廃プラスチックを掻き取る場合には、搬送体を損傷させるという問題もある。
【０００６】
本発明は、かかる実情に鑑みてなされたもので、廃プラスチックを回転ドラムの積極的に吸着した状態のまま、これを高圧エアにより回収部に吹き飛ばすことにより、その回収を行うようにして、その選別精度を高めると共に処理能力を大幅に向上させるようにした、新規な軟質プラスチックの選別装置を提供することを目的とするものである。
【０００７】
【課題を解決するための手段】
上記目的を達成するために、本請求項１記載の本発明は、混在する複数種の軟質プラスチックを選別するための、軟質プラスチックの選別装置であって、
複数の軟質プラスチックを混載して搬送する搬送手段と、その搬送手段により搬送された軟質プラスチックを受ける回転ドラムと、その回転ドラムを一方向に回転駆動する駆動手段と、前記回転ドラムの外周面に軟質プラスチックを吸着保持する吸着保持手段と、吸着保持された軟質プラスチックの材質を選別する材質選別センサと、吸着保持された軟質プラスチックを回転ドラムから強制分離させる分離手段と、分離された軟質プラスチックを回収する回収手段とを備え、前記回転ドラムは、その外周壁に複数の吸着口が周方向に間隔をあけて列設される吸着列が設けられると共にその内部を高負圧室と低負圧室とに径方向に仕切る仕切板が設けられ、前記吸着保持手段は、高負圧室を高負圧に、低負圧室を低負圧となるように吸引するブロワよりなり、前記分離手段は、前記低負圧室内に配設していて前記吸着列の複数の吸着口に対向する複数の高圧エアノズルと、これらの高圧エアノズルに高圧エアを供給する高圧エア源と、前記材質選別センサからの選別信号により開弁制御されて複数の高圧エアノズルに選択的に高圧エアを分配供給制御する開閉弁を備え、前記回収手段は、前記吸着口を介して前記複数の高圧エアノズルに対向する開口を有する複数のダクトを備えていることを特徴としており、かかる特徴によれば、プラスチックフィルム等の軟質プラスチックを、回転ドラムの吸着口に吸着保持した状態のまま、その材質を判別すると共に回収位置まで搬送し、その吸着状態のままエアノズルからの高圧エアにより、各ダクトに向けて吹き飛ばして回収することができ、軟質プラスチックの種類が多くても、その選別精度を高めることができ、また、そのプラスチックの回転ドラムから、各ダクトへの受け渡しを確実なものとして、その回収精度と回収能率を大幅に向上させることができる。
【０００８】
また、上記目的達成のため、本請求項２記載の発明は、前記請求項１記載のものにおいて、前記回転ドラムの、吸着列の複数の吸着口には、網板が被着されていることを特徴としており、かかる特徴によれば、前記請求項１の発明と同じ効果に加えて、複数種の吸着軟質プラスチックの、選別センサに対する選別すべき面を、常に所定の位置に決めることができ、その選別精度を高めることができ、また、吸着軟質プラスチックを回転ドラム内に吸い込むこともない。
【０００９】
さらに、上記目的達成のため、本請求項３記載の発明は、前記請求項１記載のものにおいて、前記回転ドラムの、吸着列の相隣り合う吸着口の間には、仕切部材が設けられることを特徴としており、かかる特徴によれば、前記請求項１の発明と同じ効果に加えて、各吸着口への軟質プラスチックの吸着性能を一層高めることができる。
【００１０】
さらにまた、上記目的達成のため、本請求項４記載の発明は、前記請求項１記載のものにおいて、前記ブロワと、高負圧室および低負圧との間を連通するエア通路の途中にはダンパが介在され、このダンパの制御により、ブロワにて高負圧室および低負圧室から吸引される負圧エアの風量を調整できるようにしたことを特徴としており、かかる特徴によれば、前記請求項１の発明と同じ効果に加えて、回転ドラムの吸着口の吸着力を、高圧側と低圧側とで、選別すべき軟質プラスチックに応じて適宜調整することができ、軟質プラスチックの吸着搬送を一層能率よく行うことができる。
【００１１】
【発明の実施の形態】
本発明の実施の形態を、添付図面に例示した本発明の実施例に基づいて以下に具体的に説明する。
【００１２】
添付図面において、図１は、本発明の第１実施例に係る軟質プラスチックの選別装置の一部破断正面図、図２は、図１の２−２線に沿う断面図、図３は、図１の３−３線に沿う断面図、図４は、図１の４−４線に沿う断面図である。
【００１３】
図１，２において、基台１上の両側に立設した左右支持枠２には、水平方向の軸線をもつ中空固定軸３が固定される。この中空固定軸３には、軸受４を介して密閉円筒状の回転ドラム５が回転自在に支持されており、この回転ドラム５の前後両端部の左右両側の下面は、基台1 上に設けた前後二対の支持ローラ６により転動自在に支承され、また、この回転ドラム５の前後両端部の上面は、基台１上に固定した他の支持枠７の前後上部に回転自在に支承される一対のガイドローラ８により転動自在にガイドされている。前記基台１一側には、駆動手段としての電動モータ９が設けられる。この電動モータ９の駆動軸に固定した駆動スプロケット１０と、回転ドラム５一端に固定した被動スプロケット１１間には、無端状のチエン１２が懸回され、電動モータ９の駆動によれば、回転ドラム５は、一方向（図２、矢印ａ方向）に回転される。
【００１４】
図１，３に示すように、前記回転ドラム５の上方には、搬送手段としての、ベルトコンベアよるなる搬送コンベア１３が配設されている。この搬送コンベア１３は、本発明にかかる選別装置Ｓにより選別される、材質の異なる複数種の廃棄物、すなわち軟質プラスチックとしてのプラスチックフィルムＰＦ群を、該選別装置Ｓに供給するためのものであり、その搬送コンベア１３の搬出端１３ｏは、前記回転ドラム５の上方に臨んでいる。
【００１５】
前記中空固定軸３の内部には、その軸方向に沿って延びる、横断面く字状の固定軸仕切板１５がその略全長にわたって配設され、その上下端縁が、中空固定軸３の内周面に溶接により気密に固定されて、この中空固定軸３内を、その略全長にわたり、その軸線方向に沿う第１のエア室Ａ１と、第２のエア室Ａ２とに区画している。そして、横断面く字型に形成される固定軸仕切板１５の夾角θは、約１５０度であって、前記第１のエア室Ａ１は、前記第２のエア室Ａ２よりもその容積が大きくなっている。また、前記回転ドラム５内にも中空固定軸３を挟んで、その軸方向に沿って延びる上部、および下部ドラム仕切板１６，１７がその略全長にわたって配設され、それら上部、および下部ドラム仕切板１６，１７の基端は、中空固定軸３の外周上下面にそれぞれ溶接により気密に固定され、また、それらの先端には、ゴムプレートよりなるシール板１８，１９がそれぞれ取付けられ、これらのシール板１８，１９の自由端は、若干撓曲されて回転ドラム５の内周面に気密に圧接されている。そして、上部、および下部ドラム仕切板１６，１７は、前記固定軸仕切板１５の、径方向の略延長線上にあって、この回転ドラム５内を、その略全長にわたり、その軸線方向に沿う高負圧室ＶＨと、それよりも低圧の低負圧室ＶＬとに区画しており、高負圧室ＶＨの方が低負圧室ＶＬよりも容積が大きくしてある。
【００１６】
図３に示すように、前記第１のエア室Ａ１と、高負圧室ＶＨとは、中空固定軸３の壁面に周方向に間隔をあけて穿設した複数の第１の連通穴２０を通して相互に連通され、また、第２のエア室Ａ２と、低負圧室ＶＬとは、中空固定軸３の壁面に周方向に間隔をあけて穿設した複数の第２の連通穴２１を通して相互に連通されている。
【００１７】
図１に示すように、前記回転ドラム５の周壁には、５列の吸着列Ｌがその軸線方向に沿って並列されており、各吸着列Ｌは、相隣り合う吸着列Ｌ，Ｌ間で、回転ドラム５の外周面より突出する環状の中間部仕切フランジ２４、および回転ドラム５の左右両端壁の外縁により形成される環状の端縁仕切フランジ２５によりそれぞれ仕切られている。各吸着列Ｌには、回転ドラム５の周方向に間隔をあけて複数の吸着口２６が開口されており、各吸着口２６には、それぞれ網板２７（約２メッシュ）が固着されており、後に述べるように、吸着口２６に吸着されるプラスチックフィルムＰＦが、定位置で吸着され、後に述べる材質判別センサＳＥによる判別精度を高めるようになっている。また、各吸着列Ｌにおいて、相隣り合う吸着口２６間には、回転ドラム５の外面より突出する仕切部材２８により仕切られており、これらの仕切部材２８は、各吸着列Ｌにおける吸着口２６によるプラスチックフィルムＰＦの選別精度を高めるのに役立つ。
【００１８】
図３に示すように、前記高負圧室ＶＨ内において、中空固定軸３には、前記吸着列Ｌの各々に対応してプラスチックフィルムＰＦの材質を判別するための、材質判別センサＳＥが設けられている。この材質判別センサＳＥの感知部３０は、発光部と受光部とを備え、また回転ドラム５の外側には、その感知部３１に対向して受光反射板３１が配設されている。そして、材質判別センサＳＥは、回転ドラム５の回転により各吸着列Ｌの複数の吸着口２６に順次対応して、そこに吸着するプラスチックフィルムＰＦの材質を判別できるようになっている。
【００１９】
なお、材質判別センサＳＥは、従来公知のものが採用されるので、その詳細な説明を省略するが、この実施例のものでは、ＰＰ（ポリプロピレン）、ＰＥ（ポリエチレン）、ＰＶＣ（塩化ビニール）、その他のものの材質判別が可能である。
【００２０】
図１に示すように、中空固定軸３の一端部（図１左端部）には、吸着保持手段としての、ブロワ３３の吸込側に連なるブロワ配管３４が接続され、またその接続部の近傍において、中空固定軸３には、前記第１、第２のエア室Ａ１，Ａ２からブロワ３３にて吸引される負圧エアの風量を調節するためのダンパＤＡが設けられる。図４に明瞭に示すように、前記固定軸仕切板１５の一端（図１、左端）に設けたダンパ支持部３５には、中空固定軸３の中心軸線上において、支持ピン３６により扇形状のダンパプレート３７の基端が回転自在に支持されている。このダンパプレート３７は、中空固定軸３内の上半部を径方向に延びており、その円弧状の自由端部は、中空固定軸３の周壁に形成した円弧状のスリット３８を通して中空固定軸３外に突出しており、そこに、ハンドル３９が固定されている。前記スリット３８の両端にはストッパ４０，４１が設けられ、ダンパプレート３７は、これらのストッパ４０，４１に当たるまで回動調節可能である。前記スリット３８には、ゴム材等の弾性体よりなるシール部材４２が設けられ、このシール部材４２は、スリット３８を気密にシールすると共にダンパプレート３７を摩擦保持して、該ダンパプレート３７を適宜の調節位置に無段階に保持できるようになっている。なお、前記ダンパＤＡには、そのダンパプレート３７を適宜の調節位置に保持するための、従来公知の保持手段を設けるようにしてもよい。
【００２１】
前記中空固定軸３内は、前述したように、固定軸仕切板１５により、第１のエア室Ａ１の容積が、第２のエア室Ａ２の容積よりも大きくなるように仕切られており、前記ダンパＤＡの回動調節によれば、前記ブロワ３３にて第１のエア室Ａ１から吸引される大容量の負圧（高負圧）エア量と、第２のエア室Ａ２から吸引される小容量の負圧（低負圧）エア量との割合を調節できるようになっており、図４において、ハンドル３９を右方向に移動すれば、第１のエア室Ａ１から吸引される負圧エアの風量が減少し、またハンドル３９を左方向に移動させれば、第１のエア室Ａ１から吸引される負圧エアの風量が増大する。
【００２２】
図１，３に示すように、中空固定軸３内の第２のエア室Ａ２内には、高圧エアパイプ４５が縦走されており、この高圧エアパイプ４５の一端は、中空固定軸３の他端（図１、右端）を閉鎖している端板３ａを貫通して、高圧エア源、たとえばエアポンプ４６の吐出口に連通されている。前記高圧エアパイプ４５には、前記５列の吸着列Ｌに対応した位置において、４本に分岐される分岐エアパイプ４７ａ〜４７ｄが周方向に間隔をあけて接続され、それらの分岐エアパイプ４７ａ〜４７ｄは中空固定軸３内を放射方向に延びていて中空固定軸３の周壁を貫通して前記回転ドラム５内の低負圧室ＶＬに達しており、その低負圧室ＶＬ内では、開閉弁４８ａ〜４８ｄを介してエアノズル４９ａ〜４９ｄにそれぞれ接続されている。４本の分岐エアパイプ４７ａ〜４７ｄにそれぞれ接続されている４つのエアノズル４９ａ〜４９ｄは、中空固定軸３にブラケット５０を介して固着されており、それらのエアノズル４９ａ〜４９ｄの噴口は、回転ドラム５内を放射方向に指向されていて、回転ドラム５の周壁に開口した、前記複数の吸着口２６に順次に対向できるようになっている。また、前記開閉弁４８ａ〜４８ｄは、制御手段５９ａ〜５９ｄを介して前記材質判別センサＳＥに接続され、その材質判別センサＳＥからの信号を受けて個別に開弁制御されるようになっており、高圧エア源４６からの高圧エアは４個の開閉弁４８ａ〜４８ｄの選択的な開弁制御により、各エアノズル４９ａ〜４９ｄの噴口から吸着口２６に向けて噴出され、そこに吸着されている、プラスチックフィルムＰＦを吹き飛ばすことができる。
【００２３】
しかして、前記高圧エア源４６、開閉弁４８ａ〜４８ｄ、第１および第４エアノズル４９ａ〜４９ｄは、プラスチックフィルムＰＦの分離手段を構成している。
【００２４】
図３に示すように、回転ドラム５の低負圧室ＶＬ側の外側方には、その回転ドラム５の周方向、すなわちその回転方向ａに沿って、第１、第２、第３、および第４の吸引ダクト５１，５２，５３，５４が、５列の吸着列Ｌに対応してそれぞれ配列されており、これらの吸引ダクト５１，５２，５３，５４は、いずれもブロワを備えた第１、第２、第３および第４回収部５５，５６，５７，５８に接続されている。第１〜第４の吸引ダクト５１，５２，５３，５４の吸引端は、漏斗状に形成され、それらの開口端は、回転ドラム５の回転により、各吸着列Ｌの複数の吸着口２６に順次対向できるようになっており、エアノズル４９ａ〜４９ｄからの高圧エアにより吹き飛ばされた、選別プラスチックフィルムＰＦは、吸引ダクト５１〜５４によりそれぞれ回収される。しかして、この実施例では、第１吸引ダクト５１はＰＰ（ポリプロピレン）用であり、第２吸引ダクト５２はＰＥ（ポリエチレン）用であり、第３吸引ダクト５３はＰＶＣ（塩化ビニール）用であり、そして第４の吸引ダクトは、その他の材質のプラスチック用である。
【００２５】
つぎに、この第１実施例の作用について説明する。
【００２６】
材質の異なる、廃プラスチックフィルムＰＦ、すなわち、ＰＰ、ＰＥ、ＰＶＣ、その他のプラスチックフィルムは、搬送コンベア１３上に混載されて、本発明選別装置Ｓ上に搬送され、その搬出端１３ｏより回転ドラム５上に定量的に供給される。
【００２７】
回転ドラム５は、電動モータ９の駆動により一方向（図２，３矢印ａ方向）に回転駆動され、またブロワ３３の駆動により、ダンパＤＡを介して流入面積の大きい第１のエア室Ａ１には風量の多い負圧エアが、またそれよりも流入面積の小さい第２のエア室Ａ２には、風量の少ない負圧エアが、分流して供給される。第１のエア室Ａ１内の、風量の多い負圧エアは、第１の連通穴２０を通って回転ドラム５内の高負圧室ＶＨに流入して、該室ＶＨを高負圧に保持し、また第２のエア室Ａ２内の、風量の少ない負圧エアは、第２の連通穴２１を通って回転ドラム５内の低負圧室ＶＬに流入して、該室ＶＬを低負圧に保持する。この場合、ダンパＤＡの回動制御により、第１、第２のエア室Ａ１，Ａ２のエア流入面積を可変にしてそれらの室Ａ１，Ａ２に流入される負圧エア量を調節することにより、それらの室Ａ１，Ａ２の負圧割合を変更することができる。さらに、エアポンプ、すなわち高圧エア源４６の駆動により発生する高圧エアは、高圧エアパイプ４５、分岐エアパイプ４７ａ〜４７ｄを通って各吸着列Ｌの複数のエアノズル４９ａ〜４９ｄより、各吸着列Ｌの吸着口２６に向けて噴出される。
【００２８】
搬送コンベア１３上に混載された、種々のプラスチックフィルムＰＦは、その搬出端１３ｏより定速回転される回転ドラム５の５列の吸着列Ｌ上に略均等に分散して供給され、各列の高負圧室ＶＨ側の複数の吸着口２６に一枚毎吸着される。
【００２９】
回転ドラム５の回転継続により、吸着されたプラスチックフィルムＰＦが、材質判別センサＳＥの感知部３０と対面するところに至れば、この材質判別センサＳＥがそのプラスチックフィルムＰＦの材質を判別する。すなわち、この実施例では、そのプラスチックフィルムＰＦが、ＰＰ、ＰＥ、ＰＶＣ、あるいはその他であるかを判別し、それらの判別信号を、制御手段５９ａ〜５９ｄを介して開閉弁４８ａ〜４８ｄの制御部に各別に印加する。この場合、材質判別センサＳＥによる吸着プラスチックフィルムＰＦの判別は、吸着口２６の網板２７を通して常に定位置で行われるので、その判別精度を高めることができる。
【００３０】
さらに、回転ドラム５の回転により、判別済のプラスチックフィルムＰＦが第１ないし第４吸引ダクト５１〜５４を通過する際に、先の材質判別に基づいて、そのプラスチックフィルムＰＦの材質に該当する、エアノズル４９ａ〜４９ｄからの圧縮エアを、そのプラスチックフィルムＰＦに吹き付けることで、そのプラスチックフィルムＰＦは吹き飛ばされて、第１ないし第４吸引ダクト５１〜５４により選択的に吸引され、それぞれの回収部５５〜５８に回収される。たとえば、判別されたプラスチックフィルムＰＦがＰＰであるときは、第１エアノズル４９ａからの圧縮エアにより吹き飛ばされたＰＰフィルムは、第１の吸引ダクト５１に吸引されて回収され、また、判別されたプラスチックフィルムＰＦがＰＥであるときは、第２エアノズル４９ｂからの圧縮エアにより吹き飛ばされたＰＥフィルムは、第２の吸引ダクト５２に吸引されて回収される。
【００３１】
しかして、前述のプラスチックフィルムＰＦの判別、回収過程において、判別済の吸着プラスチックフィルムＰＦは、高負圧室ＶＨ側から低負圧室ＶＬ側に移動しても、該低負圧室ＶＬの負圧力により、その判別済のプラスチックフィルムＰＦは、吸着口２６に吸着保持されたまま、最上位の第４吸引ダクト５４に対応する位置まで、落下することなく移動させることができる。
【００３２】
つぎに、図５を参照して、本発明の第２実施例について説明する。
【００３３】
図５は、本発明の第２実施例にかかる軟質プラスチックの選別装置の全体概略図であり、図５中、前記第１実施例と同じ要素には同じ符合が付される。この第２実施例は、選別装置を３段式とした場合であり、第１ないし第３段の選別装置Ｓ１乃至Ｓ３は、それらの軸線が上から下に向かって、搬送コンベア１３の搬送方向に偏倚するように、階段状に配置されている。
【００３４】
しかして、この第２実施例のものは、プラスチックフィルムＰＦの選別処理能力を一層高めるようにしたものであり、図５に示すように、第１段の選別装置Ｓ１で、吸着を逸したプラスチックフィルムＰＦは、第２段の選別装置Ｓ２により二次吸着し、さらに、第２段の選別装置Ｓ２で、吸着を逸したプラスチックフィルムＰＦは、第３段の選別装置Ｓ３により三次吸着することができる。
【００３５】
なお、この第２実施例では、選別装置を２段にしてもよく、さらに、４段以上の多段にしてもよい。
【００３６】
つぎに、図６，７を参照して、本発明の第３実施例について説明する。
【００３７】
図６は、本発明の第３実施例にかかる軟質プラスチックの選別装置の一部破断正面図、図７は、図６の７−７線に沿う断面図であり、図６，７中、前記第１実施例と同じ要素には同じ符合が付される。
【００３８】
この第３実施例は、本発明は、搬送手段としての、搬送コンベア１３により混載して搬送される、材質の違う軟質プラスチックフィルムＰＦを、その搬送コンベア１３上から吸引して判別するようにしたものである
回転ドラム５の下方において、基台１上には、搬送コンベア１３が配設され、この搬送コンベア１３の搬出部１３ｏの上方に、回転ドラム５の高負圧室ＶＨ側が配設されている。一方向（図７、矢印ａ方向）に定速回転される、高負圧室ＶＨ側の回転ドラム５の５列の吸着列Ｌの複数の吸着口２６には、中空円筒状の吸着パイプ６０が固着され、該吸着パイプ６０の先部に網板２７が張設されている。高負圧室ＶＨ側の、各吸着列Ｌの一つの吸着口２６に対応して、回転ドラム５の外側には、材質判別センサＳＥが配設され、さらに、その材質判別センサＳＥの感知部３０に対応して、中空固定軸３には、そのセンサＳＥの受光反射板３１が固定されている。
【００３９】
搬送コンベア１３により、その搬出部１３ｏに搬送されてきた、プラスチックフィルムＰＦは、回転する回転ドラム５の各吸着列Ｌの、複数の吸着パイプ６０に、順次に吸着されていき、以後、前記第１実施例と同じく吸着されたプラスチックフィルムＰＦは、材質判別センサＳＥにより材質を判別され、第１ないし第４吸引ダクト５１〜５４に選別回収される。
【００４０】
以上、本発明の一実施例について説明したが、本発明はこの実施例に限定されることなく、本発明の範囲内で種々の実施例が可能である。たとえば、前記実施例では、プラスチックフィルムを選別する場合について説明したが、吸着口に吸着可能な、プラスチックトレーなどの軟質プラスチックの選別にも実施できることは勿論であり、また、前記実施例では、プラスチックフィルムをダクトに吸引回収していているが、吸引せずにダクトに回収するようにしてもよく、さらに前記実施例では、固定軸仕切板の夾角を１５０度にしているが、選別数や設定負圧などにより、その夾角は任意に設定可能である。
【００４１】
【発明の効果】
以上のように本請求項１記載の発明によれば、軟質プラスチックの選別装置において、プラスチックフィルム等の軟質プラスチックを、回転ドラムの吸着口に吸着保持した状態のままその材質を判別すると共に回収位置まで搬送し、その吸着状態のままエアノズルからの高圧エアにより、各吸引ダクトに向けて吹き飛ばして回収することができるので、軟質プラスチックの種類が多くても、その選別精度を高めることができ、また、そのプラスチックの回転ドラムから、各吸引ダクトへの受け渡しを確実なものとして、その回収精度と回収能率を大幅に向上させることができる。
【００４２】
また、本請求項２記載の発明によれば、前記請求項１の発明と同じ効果に加えて、複数種の吸着軟質プラスチックの、選別センサに対する選別すべき面を、常に所定の位置に決めることができ、その選別精度を一層高めることができ、また、吸着した軟質プラスチックを回転ドラム内に吸い込むことがない。
【００４３】
さらに、本請求項３記載の発明によれば、前記請求項１の発明と同じ効果に加えて、各吸着口への軟質プラスチックの吸着性能を一層高めることができる。
【００４４】
さらにまた、本請求項４記載の発明によれば、前記請求項１の発明と同じ効果に加えて、回転ドラムの吸着口の吸着力を、高圧側と低圧側とで、選別すべき軟質プラスチックに応じて適宜調整することができ、軟質プラスチックの吸着搬送を一層能率よく行うことができる。
【図面の簡単な説明】
【図１】本発明の第１実施例に係る軟質プラスチックの選別装置の一部破断正面図
【図２】図１の２−２線に沿う断面図
【図３】図１の３−３線に沿う断面図
【図４】図１の４ー４線に沿う断面図
【図５】本発明の第２実施例にかかる軟質プラスチックの選別装置の全体概略図
【図６】本発明の第３実施例にかかる軟質プラスチックの選別装置の一部破断正面図
【図７】図６の７−７線に沿う断面図
【符号の説明】
５・・・・・・・・・・・・・・・回転ドラム
９・・・・・・・・・・・・・・・駆動手段（電動モータ）
１３・・・・・・・・・・・・・・搬送手段（搬送コンベア）
１６・・・・・・・・・・・・・・仕切板（上部ドラム仕切板）
１７・・・・・・・・・・・・・・仕切板（下部ドラム仕切板）
２６・・・・・・・・・・・・・・吸着口
２７・・・・・・・・・・・・・・網板
２８・・・・・・・・・・・・・・仕切部材
３３・・・・・・・・・・・・・・吸着保持手段（ブロワ）
４６・・・・・・・・・・・・・・分離手段（高圧エア源）
４８ａ〜４８ｄ・・・・・・・・・分離手段（開閉弁）
４９ａ〜４９ｄ・・・・・・・・・分離手段（エアノズル）
５１〜５４・・・・・・・・・・・回収手段（ダクト）
ＤＡ・・・・・・・・・・・・・・ダンパ
Ｌ・・・・・・・・・・・・・・・吸着列
ＳＥ・・・・・・・・・・・・・・材質選別センサ
ＶＨ・・・・・・・・・・・・・・高負圧室
ＶＬ・・・・・・・・・・・・・・低負圧室
【図１】
0003777300.tif 000002
【図２】
0003777300.tif 000003
【図３】
0003777300.tif 000004
【図４】
0003777300.tif 000005
【図５】
0003777300.tif 000006
【図６】
0003777300.tif 000007
【図７】
0003777300.tif 000008